【手続補正書】
【提出日】平成25年3月26日(2013.3.26)
【手続補正１】
【補正対象書類名】明細書
【補正対象項目名】０００３
【補正方法】変更
【補正の内容】
【０００３】
このような不正行為に対処すべく、近年では、基板ボックスに、固有ＩＤ等の識別情報を有するシールをベース部材と蓋部材とに跨って貼り付けるものが提案されている（例えば、特許文献１）。
【手続補正２】
【補正対象書類名】明細書
【補正対象項目名】０００５
【補正方法】変更
【補正の内容】
【０００５】
しかしながら、特許文献１に開示されたような遊技機の基板ボックスでは、基板ボックスを分離しない場合においてシールが不用意に傷ついたりするという問題がある。
【手続補正３】
【補正対象書類名】明細書
【補正対象項目名】０００６
【補正方法】変更
【補正の内容】
【０００６】
そこで、本発明は、上記の事情に鑑みてなされたものであり、その目的は、基板ボックスに貼り付けられるシールが不用意に傷ついてしまうような不都合を防ぐことが可能な遊技機を提供することを目的とする。
【手続補正４】
【補正対象書類名】明細書
【補正対象項目名】０００７
【補正方法】変更
【補正の内容】
【０００７】
本発明は、上記目的を達成するために提案されたものであり、請求項１に記載のものは、表面に電子部品が実装された制御基板と、該制御基板を収納するための透明樹脂製の基板ボックスとを含んで構成される制御装置と、該制御装置を識別可能とする固有の識別情報を有するシールと、を備え、
前記基板ボックスを構成する第１構成部材と第２構成部材とに跨って前記シールを貼着する遊技機において、
前記基板ボックスは、
前記第１構成部材と前記第２構成部材とを重合させた状態で所定方向にスライドさせることで係合させることが可能な係合機構と、
前記第１構成部材と前記第２構成部材とを係合させた係合状態で前記基板ボックスを封止することが可能な封止機構と、
前記第１構成部材と前記第２構成部材とに跨って前記シールを貼着するための貼着部と、
前記貼着部に貼着された前記シールを被覆保護するために前記基板ボックスに取り付けられる保護カバー部材と、
前記第１構成部材のうち前記基板ボックスに取り付けられた前記保護カバー部材の所定部位の一側方に位置する第１壁部と、
前記第２構成部材のうち前記基板ボックスに取り付けられた前記保護カバー部材の所定部位の他側方に位置する第２壁部と、を備え、
前記第１構成部材と前記第２構成部材とを前記係合機構により係合させてから前記保護カバー部材を前記基板ボックスに取り付けると、当該保護カバー部材の所定部位が前記第１壁部と前記第２壁部との間に配置され、
前記第１構成部材と前記第２構成部材とを前記係合機構による係合を解除するための移動方向へ移動させると、前記第１壁部と前記第２壁部との間隔が前記保護カバー部材の所定部位の幅よりも狭まるよう構成したことを特徴とする遊技機である。
【手続補正５】
【補正対象書類名】明細書
【補正対象項目名】０００８
【補正方法】変更
【補正の内容】
【０００８】
請求項１に記載の発明によれば、基板ボックスに貼り付けられるシールが不用意に傷ついてしまうような不都合を保護カバー部材により防ぐことが可能となる。
【手続補正６】
【補正対象書類名】明細書
【補正対象項目名】０００９
【補正方法】変更
【補正の内容】
【０００９】
また、請求項２に記載のものは、前記第１構成部材によって前記制御基板の裏側を覆う一方、前記第２構成部材によって前記制御基板の表側を覆うよう構成し、
前記貼着部は、前記第１構成部材に形成される第１貼着部と、該第１貼着部に対応させて前記第２構成部材に形成される第２貼着部とを備え、
前記シールは、表面の所定箇所に所定の文字情報が印刷されてなり、該文字情報が前記第２貼着部に臨むようにして前記第１貼着部と前記第２貼着部とに跨って貼着されることを特徴とする請求項１に記載の遊技機である。
【手続補正７】
【補正対象書類名】明細書
【補正対象項目名】００１０
【補正方法】変更
【補正の内容】
【００１０】
請求項２に記載の発明によれば、基板ボックスを分離する場合には、シールを切断することが可能となる。
【手続補正８】
【補正対象書類名】明細書
【補正対象項目名】００１１
【補正方法】変更
【補正の内容】
【００１１】
本発明によれば、以下のような優れた効果を奏する。
基板ボックスに貼り付けられるシールが不用意に傷ついてしまうような不都合を保護カバー部材により防ぐことが可能となる。
【手続補正９】
【補正対象書類名】明細書
【補正対象項目名】００１６
【補正方法】変更
【補正の内容】
【００１６】
次に、遊技制御装置３２について説明する。
遊技制御装置３２は、図３に示すように、遊技盤５の左右方向に沿って延在する薄い箱状のユニットであり、透光性を有して内部を透視可能な樹脂製（例えば無色透明な樹脂製）の基板ボックス３４と、該基板ボックス３４内に収容された矩形状の制御基板３５と、当該遊技制御装置３２を識別するための電子タグシール３６（本発明におけるシールに相当）と、該電子タグシール３６を保護する保護カバー３７とを備えて構成されており、制御基板３５にはＣＰＵ等の電子部品３５ａや配線接続用の配線コネクタ３５ｂを実装している（図３（ｂ）参照）。
【手続補正１０】
【補正対象書類名】明細書
【補正対象項目名】００２３
【補正方法】変更
【補正の内容】
【００２３】
次に、電子タグシール３６について説明する。
電子タグシール３６は、図７に示すように、矩形状のベースシート７１と、該ベースシート７１の裏面側に貼着された長尺なタグ部７２とを備えて構成されている。また、該タグ部７２には、遊技制御装置３２に関する固有の識別情報（例えば、識別ＩＤ）を記憶したチップ部（ＩＣチップ）７３と、識別情報を発信可能なアンテナ部７４とを備え（図７（ｂ），（ｃ）参照）、アンテナ部７４から発信された識別情報を外部読取装置（図示せず）により読み取って、遊技制御装置３２が正規品であるか否かを確認可能としている。また、図７（ｂ）に示すように、矩形状のベースシート７１の裏面側の対角線に沿って長尺なアンテナ部７４を直線状に配置し、該アンテナ部７４の中央部分にチップ部７３を配置し、電子タグシール３６を貼着部４６へ貼着すると、チップ部７３がベース側貼着部５７上に位置し、且つチップ部７３の両側方に位置するアンテナ部７４がベース側貼着部５７と蓋側貼着部５９との境界（嵌合境界）ＢＬに交差するように設定されている（図８（ａ）参照）。そして、図７（ａ）に示すように、電子タグシール３６の表面（ベースシート７１の表面）、言い換えると貼着部４６へ貼着した状態で遊技盤５の裏面側に位置する面には「開封禁止」の文字（本発明における所定の文字情報に相当）を印刷し、タグ部７２（チップ部７３およびアンテナ部７４）を含む電子タグシール３６の裏面全体、言い換えると貼着部４６に対向する面の全体には粘着層７５を設け、該粘着層７５を介して電子タグシール３６を貼着部４６へ貼着可能としている。なお、アンテナ部７４は、ベースシート７１の対角線上に一直線に配置することが望ましいが、ベースシート７１の対角線に平行な状態、あるいは多少傾斜した状態で配置してもよい。
【手続補正１１】
【補正対象書類名】特許請求の範囲
【補正対象項目名】全文
【補正方法】変更
【補正の内容】
【特許請求の範囲】
【請求項１】
表面に電子部品が実装された制御基板と、該制御基板を収納するための透明樹脂製の基板ボックスとを含んで構成される制御装置と、該制御装置を識別可能とする固有の識別情報を有するシールと、を備え、
前記基板ボックスを構成する第１構成部材と第２構成部材とに跨って前記シールを貼着する遊技機において、
前記基板ボックスは、
前記第１構成部材と前記第２構成部材とを重合させた状態で所定方向にスライドさせることで係合させることが可能な係合機構と、
前記第１構成部材と前記第２構成部材とを係合させた係合状態で前記基板ボックスを封止することが可能な封止機構と、
前記第１構成部材と前記第２構成部材とに跨って前記シールを貼着するための貼着部と、
前記貼着部に貼着された前記シールを被覆保護するために前記基板ボックスに取り付けられる保護カバー部材と、
前記第１構成部材のうち前記基板ボックスに取り付けられた前記保護カバー部材の所定部位の一側方に位置する第１壁部と、
前記第２構成部材のうち前記基板ボックスに取り付けられた前記保護カバー部材の所定部位の他側方に位置する第２壁部と、を備え、
前記第１構成部材と前記第２構成部材とを前記係合機構により係合させてから前記保護カバー部材を前記基板ボックスに取り付けると、当該保護カバー部材の所定部位が前記第１壁部と前記第２壁部との間に配置され、
前記第１構成部材と前記第２構成部材とを前記係合機構による係合を解除するための移動方向へ移動させると、前記第１壁部と前記第２壁部との間隔が前記保護カバー部材の所定部位の幅よりも狭まるよう構成したことを特徴とする遊技機。
【請求項２】
前記第１構成部材によって前記制御基板の裏側を覆う一方、前記第２構成部材によって前記制御基板の表側を覆うよう構成し、
前記貼着部は、前記第１構成部材に形成される第１貼着部と、該第１貼着部に対応させて前記第２構成部材に形成される第２貼着部とを備え、
前記シールは、表面の所定箇所に所定の文字情報が印刷されてなり、該文字情報が前記第２貼着部に臨むようにして前記第１貼着部と前記第２貼着部とに跨って貼着されることを特徴とする請求項１に記載の遊技機。